(57)【特許請求の範囲】
【請求項１】
箱本体の側壁の一部に、上下方向に並べて複数のワイヤーハーネス引出口を形成し、この複数のワイヤーハーネス引出口を形成した部分を、各ワイヤーハーネス引出口の略中心位置で上下方向に複数のブロックに分割して、各分割ブロックに、合わせたときに前記ワイヤーハーネス引出口を形成する半円状の開口をそれぞれ形成し、最下段、中段及び最上段の分割ブロックは、前記最下段の分割ブロックより順次積み重ね可能なブロックとして前記箱本体に設けられ、中段の分割ブロックは、上下に別のワイヤーハーネス引出口を形成するための前記半円状の開口をそれぞれ有した略Ｈ形のブロックとして形成した電気接続箱であって、
前記中段及び最上段の分割ブロックに、該分割ブロックを順次下から上に積み重ねたときに、下側の分割ブロックの側壁及び半円状の開口の上端縁の外側に覆い被さることで防水機能を発揮するスカート部を設け、各分割ブロックに、該分割ブロックを積み重ねたときに互いに係合して上下の分割ブロックを結合するロック部を設け、更に、前記箱本体に、前記中段及び最上段の分割ブロックを積み重ねる際に案内作用をなすガイド部を設けたことを特徴とする電気接続箱。
【請求項２】
請求項１に記載の電気接続箱であって、
前記いずれかのワイヤーハーネス引出口に、該引出口を封止する封止蓋を装着したことを特徴とする電気接続箱。
【発明の詳細な説明】
【技術分野】
【０００１】
本発明は、例えばヒューズやリレー等を収容する車載用の電気接続箱に関するものである。
【背景技術】
【０００２】
電気接続箱を車載する場合、設置スペースなどの関係で、複数系統のワイヤーハーネスを、縦に並べた状態で電気接続箱外部へ引き出さなくてはならないことがある。そのような場合、従来では、単にクランプ等でそれぞれのワイヤーハーネスを保持しながら引き出していることが多い（例えば、特許文献１参照）。しかし、単純にワイヤーハーネスをクランプで保持しながら引き出すだけでは、防水性の確保が難しい。
【０００３】
そこで、図１２〜図１４に示すような防水性の確保を狙った電気接続箱が検討されている。
【０００４】
図１２に示す電気接続箱では、箱本体２１０の前壁２１１に、縦に並べて２つのワイヤーハーネス引出口２１５を設けており、それらのワイヤーハーネス引出口２１５にワイヤーハーネスＷ１、Ｗ２をセットするために、前壁２１１を点線２１６で示す位置で左右方向に２分割し、一方の分割壁２１１Ａを箱本体２１０に固定的に設け、他方の分割壁２１１Ｂを箱本体２１０にヒンジを介して回動自在に設けている。
【０００５】
そして、ワイヤーハーネスＷ１、Ｗ２をセットする場合は、ワイヤーハーネスＷ１、Ｗ２を矢印Ｚ１で示す横方向から固定側の分割壁２１１Ａの半円状の開口に挿入し、その状態で可動側の分割壁２１１Ｂを閉じることで、ワイヤーハーネスＷ１、Ｗ２を上下のワイヤーハーネス引出口２１５に保持するようにしている。
【０００６】
また、図１３に示す電気接続箱では、箱本体３１０の前壁３１１に、左右方向に大きく位置をずらしながら縦に並べて２つのワイヤーハーネス引出口３１５を設けており、それらのワイヤーハーネス引出口３１５にワイヤーハーネスＷ１、Ｗ２をセットするために、前壁３１１を点線３１６で示す位置で上下方向に２分割し、下側の分割壁３１１Ａは箱本体３１０に固定的に設け、上側の分割壁３１１Ｂは、箱本体３１０に対してスライドさせながら装着できるように設けている。
【０００７】
この電気接続箱は、上下のワイヤーハーネスＷ１、Ｗ２の引き出し位置の中心間距離ＣＬが、両ワイヤーハーネス引出口３１５の半径の合計よりも大きい場合に適用可能なものであり、ワイヤーハーネスＷ１、Ｗ２をセットする場合は、ワイヤーハーネスＷ１、Ｗ２を上から下側の分割壁３１１Ａの半円状開口に挿入し、その状態で上側の分割壁３１１Ｂを閉じることで、ワイヤーハーネスＷ１、Ｗ２を上下のワイヤーハーネス引出口３１５に保持するようにしている。
【０００８】
また、図１４に示す電気接続箱では、箱本体４１０の前壁４１１に、左右方向の位置のずれを小さくした状態で縦に並べて２つのワイヤーハーネス引出口４１５が設けられている。具体的には、上下のワイヤーハーネスＷ１、Ｗ２の引き出し位置の中心間距離ＣＬが、両ワイヤーハーネス引出口４１５の半径の合計以下となっている。
【０００９】
そして、それらのワイヤーハーネス引出口４１５にワイヤーハーネスＷ１、Ｗ２をセットするために、箱本体４１０の前壁４１１が、点線４１６で示す位置で上下方向に４分割されており、最下段の分割壁４１１Ａのみが箱本体１１０に固定的に設けられ、その上側の分割壁４１１Ｂ〜４１１Ｄは、箱本体４１０に対してスライドさせながら装着できるように設けられている。
【００１０】
この電気接続箱にワイヤーハーネスＷ１、Ｗ２をセットする場合は、最初にワイヤーハーネスＷ１を上方から最下段の分割壁４１１Ａの半円状開口に挿入し、その状態で上側の分割壁４１１Ｂを閉じることで、ワイヤーハーネスＷ１を保持し、次に、その上側に分割壁４１１Ｃを装着して、ワイヤーハーネスＷ２を上方からその分割壁４１１Ｃの半円状開口に挿入し、その状態で最上段の分割壁４１１Ｄを閉じることで、ワイヤーハーネスＷ２を保持するようにしている。
【特許文献１】特開２００１−３５２６４０号公報
【発明の開示】
【発明が解決しようとする課題】
【００１１】
ところで、図１２に示した電気接続箱の場合、回動させながら可動側の分割壁２１１Ｂを固定側の分割壁２１１Ａに合わせるので、箱本体２１０や分割壁２１１Ａ、２１１Ｂの変形によって、分割壁２１１Ａ、２１１Ｂの合わせ部に隙間ができて、防水性を損ないやすいという問題がある。
【００１２】
また、図１３に示した電気接続箱は、上下のワイヤーハーネス引き出し位置が左右方向に大きくずれている場合には適用できるものの、上下のワイヤーハーネスＷ１、Ｗ２の引き出し位置の中心間距離ＣＬが、両ワイヤーハーネス引出口３１５の半径の合計以下の場合は適用できないという問題がある。
【００１３】
また、図１４に示す電気接続箱は、部品点数が多くなってしまうという問題がある。
【００１４】
本発明は、上記事情を考慮し、上下のワイヤーハーネスの引き出し位置の左右方向のずれ量に関係なく適用することができ、しかも、部品点数が少なく、確実な防水性能を発揮し得る電気接続箱を提供することを目的とする。
【課題を解決するための手段】
【００１５】
請求項１の発明は、箱本体の側壁の一部に、上下方向に並べて複数のワイヤーハーネス引出口を形成し、この複数の前記ワイヤーハーネス引出口を形成した部分を、各ワイヤーハーネス引出口の略中心位置で上下方向に複数のブロックに分割して、各分割ブロックに、合わせたときに前記ワイヤーハーネス引出口を形成する半円状の開口をそれぞれ形成し、最下段、中段及び最上段の分割ブロックは、前記最下段の分割ブロックより順次積み重ね可能なブロックとして前記箱本体に設けられ、中段の分割ブロックは、上下に別のワイヤーハーネス引出口を形成するための前記半円状の開口をそれぞれ有した略Ｈ形のブロックとして形成した電気接続箱であって、前記中段及び最上段の分割ブロックに、該分割ブロックを順次下から上に積み重ねたときに、下側の分割ブロックの側壁及び半円状の開口の上端縁の外側に覆い被さることで防水機能を発揮するスカート部を設け、各分割ブロックに、該分割ブロックを積み重ねたときに互いに係合して上下の分割ブロックを結合するロック部を設け、更に、前記箱本体に、前記中段及び最上段の分割ブロックを積み重ねる際に案内作用をなすガイド部を設けたことを特徴とする。
【００１７】
請求項２の発明は、請求項１に記載の電気接続箱であって、前記いずれかのワイヤーハーネス引出口に、該引出口を封止する封止蓋を装着したことを特徴とする。
【発明の効果】
【００１８】
請求項１の発明によれば、ワイヤーハーネス引出口を形成した部分を、各ワイヤーハーネス引出口の略中心位置で上下方向に複数のブロックに分割し、最下段の分割ブロックは箱本体に一体に形成する一方、中段及び最上段の分割ブロックは、最下段の分割ブロックに順次積み重ね可能な独立したブロックとして箱本体とは別体に形成し、しかも、中段の分割ブロックは、上下に別のワイヤーハーネス引出口を形成するための半円状の開口をそれぞれ有した略Ｈ形のブロックとして形成したので、共通の箱本体を用いながら、中段の分割ブロックの個数を適宜選択することにより、ワイヤーハーネスの引き出し本数の違う複数種類の電気接続箱を安価に組み立てることができる。特に中段の分割ブロックは、上下に半円状の開口を有する略Ｈ形のものとしたので、部品点数を増やさずに共通部品化することができ、樹脂成形の際の金型費用を含めて、低コスト化に貢献することができる。特に、中段及び最上段の分割ブロックに、下側の分割ブロックの側壁及び半円状の開口の上端縁の外側に覆い被さることで防水機能を発揮するスカート部を設けたので、高い防水性を発揮することができる。また、各分割ブロックにロック部を設けたので、組立状態での一体性を高めることができる。また、箱本体にガイド部を設けたので、中段及び最上段の分割ブロックの積み重ねる際の組立性の向上が図れる。
【００２０】
請求項２の発明によれば、任意のワイヤーハーネス引出口に封止蓋を装着することができるため、車載時の仕様に応じて引出口の個数を適宜容易に変更することができる。
【発明を実施するための最良の形態】
【００２１】
以下、本発明の実施形態を図面を参照しながら説明する。
【００２２】
図１は実施形態の電気接続箱の要部を示す分解斜視図、図２及び図３は電気接続箱を構成する中段の分割ブロックの斜視図、図４は部材間の関係を簡略化して示す模式図である。
【００２３】
この電気接続箱は、箱本体１の側壁２の前部に、上下方向に並べて複数のワイヤーハーネス引出口を形成する部分を設けており、そのワイヤーハーネス引出口を形成する部分を、各ワイヤーハーネス引出口の略中心位置で上下方向に複数のブロック１０、２０、３０に分割している。
【００２４】
従って、各分割ブロック１０、２０、３０には、合わせたときにワイヤーハーネス引出口を形成するための半円状の開口１４、２４Ａ、２４Ｂ、３４が、それぞれ形成されている。この場合、最下段の分割ブロック１０は、箱本体１に一体に形成されている。一方、中段及び最上段の分割ブロック２０、３０は、最下段の分割ブロック１０に対して順次積み重ね可能な独立したブロックとして、箱本体１とは別体に形成されている。
【００２５】
しかも、中段の分割ブロック２０は、上下に別のワイヤーハーネス引出口を形成するための前記半円状の開口２４Ａ、２４Ｂをそれぞれ有した略Ｈ形のブロックとして形成されている（図４参照）。
【００２６】
最下段の分割ブロック１０は、箱本体１の側壁２に連続する一対の側壁１２と、側壁１２の前端より突出する半筒状の樋状部１３とを有し、この樋状部１３の内周側が上向きの半円状の開口１４となっている。
【００２７】
また、中段の分割ブロック２０は、箱本体１の側壁２と係合する一対の側壁２２と、側壁２２の前端より突出するＨ形部２３とを有し、Ｈ形部２３の上下面に半円状の開口２４Ａ、２４Ｂが設けられている。
【００２８】
また、最上段の分割ブロック３０は、箱本体１の側壁２と係合する一対の側壁３２と、側壁３２の前端より突出する半筒状の樋状部３３とを有し、この樋状部３３の内周側が下向きの半円状の開口３４となっている。
【００２９】
中段及び最上段の分割ブロック２０、３０の側壁２２、３２の下部には、分割ブロック２０、３０を順次下から上に積み重ねたときに、下側の分割ブロック１０、２０の側壁１２、２２の外側に覆い被さることで防水機能を発揮するスカート部５が設けられている。
【００３０】
また、中段及び最上段の分割ブロック２０、３０の下向きの半円状の開口２４Ａ、３４の下端縁には、分割ブロック２０、３０を順次下から上に積み重ねたときに、下側の分割ブロック１０、２０の上向きの半円状の開口１４、２４Ｂの上端縁１３ａ、２３ｂの外側に覆い被さることで防水機能を発揮するスカート部２３ａ、３３ａが設けられている。
【００３１】
また、各分割ブロック１０、２０、３０には、中段及び最上段の分割ブロック２０、３０を上方から順番に積み重ねたときに、互いに係合して上下の分割ブロック１０、２０、３０を結合するロック部７、８が設けられている。ロック部７、８は、ここでは、一方が可撓性を有する係止爪、他方が係止爪と係合する係止孔として構成されている。
【００３２】
また、箱本体１の開口側縁には、中段及び最上段の分割ブロック２０、３０を積み重ねる際に案内作用をなすと共に、各分割ブロック２０、３０の側壁２２、３２の先端の係合部４の嵌まるガイド部３が設けられている。
【００３３】
この電気接続箱を使用する場合は、図４（ｂ）に示すように、まず、下段のワイヤーハーネスＷ１を最下段の分割ブロック１０の樋状部１３の半円状の開口１４にセットし、その状態で、中段の分割ブロック２０をその上に積み重ねる。
【００３４】
その際、箱本体１のガイド部３に分割ブロック２０側の係合部４を嵌めてガイドを取りながら、中段の分割ブロック２０を最下段の分割ブロック１０の上に載せて、ロック部７、８でロックする。こうすることで、上下の分割ブロック２０、１０が確実に結合され、上下のブロック２０、１０の半円状の開口２４Ａ、１４によって構成されるワイヤーハーネス引出口にワイヤーハーネスＷ１が保持される、また、上側の分割ブロック２０のスカート部５、２３ａが、下側の分割ブロック１０の側壁１２や半円状の開口１４の上端縁１３ａの外側に覆い被さることにより、防水性が確保される。
【００３５】
次に、上段のワイヤーハーネスＷ２を中段の分割ブロック２０の上側の半円状の開口２４Ｂにセットし、その状態で、最上段の分割ブロック３０をその上に積み重ねる。
【００３６】
その際、同様に、箱本体１のガイド部３に分割ブロック３０側の係合部４を嵌めてガイドを取りながら、最上段の分割ブロック３０を中段の分割ブロック２０の上に載せて、ロック部７、８でロックする。こうすることで、上下の分割ブロック３０、２０が確実に結合され、上下のブロック３０、２０の半円状の開口３４、２４Ｂによって構成されるワイヤーハーネス引出口にワイヤーハーネスＷ２が保持される、また、上側の分割ブロック３０のスカート部５、２３ａが、下側の分割ブロック２０の側壁２２や半円状の開口２４Ｂの上端縁２３ｂの外側に覆い被さることにより、防水性が確保される。
【００３７】
この例では、中段の分割ブロック２０の個数を１個にした場合を示したが、図５に示すように、中段の分割ブロック２０の個数を２個に増やして、３系統のワイヤーハーネスＷ１〜Ｗ３を保持しながら引き出すこともできる。その場合、中段の分割ブロック２０は共通部品として利用することができるので、部品種類が増えることはない。
【００３８】
以上のように、共通の箱本体１を用いながら、中段の分割ブロック２０の個数を適宜選択することにより、ワイヤーハーネスの引き出し本数の違う複数種類の電気接続箱を安価に組み立てることができる。特に中段の分割ブロック２０は、上下に半円状の開口２４Ａ、２４Ｂを有する略Ｈ形のものとしているので、部品点数を増やさずに共通部品化することができ、樹脂成形の際の金型費用を含めて、低コスト化に貢献することができる。
【００３９】
また、中段及び最上段の分割ブロック２０、３０には、防水機能を発揮するスカート部５、２３ａ、３３ａを設けたので、高い防水性を発揮することができる。また、各分割ブロック１０、２０、３０にはロック部７、８を設けているので、組立状態での強固な一体性を高めることができる。また、箱本体１にはガイド部３を設けているので、中段及び最上段の分割ブロック２０、３０の積み重ねる際の組立性の向上が図れる。
【００４０】
また、図５の例では、全部のワイヤーハーネス引出口を使用する場合を示したが、図６に示すように、使用しない引出口には封止蓋１００を装着することもできる。こうすることで、車載時の仕様に応じて引出口の個数を適宜容易に変更することができる。
【００４１】
図７は中段の分割ブロック２０の段数を２段にした場合の具体例を示している。２段にした場合は、中段の分割ブロック２０同士が上下で結合し、上下の分割ブロック２０の半円状の開口２４Ａ、２４Ｂによって、ワイヤーハーネス引出口が形成される。また、上側の分割ブロック２０のスカート部５、２３ａが、下側の分割ブロック２０の側壁２２や上向きの半円状の開口２４Ｂの上端縁２３ｂの外側に覆い被さることになる。
【００４２】
図８はワイヤーハーネス引出口を２段にした場合の使用バリエーションを示す模式図である。図８（ａ）は上下２つの引出口からワイヤーハーネスＷを引き出す場合、図８（ｂ）は上段または下段の引出口に封止蓋１００を装着して、１段の引出口だけからワイヤーハーネスＷを引き出す場合を示している。
【００４３】
図９はワイヤーハーネス引出口を３段にした場合の使用バリエーションを示しており、図９（ａ）は全部の引出口を使用する場合、図９（ｂ）〜（ｄ）はいずれか２段の引出口のみを使用する場合、図９（ｅ）、（ｆ）はいずれか１段の引出口のみを使用する場合を示している。
【００４４】
図１０はワイヤーハーネス引出口を４段にした場合、図１１はワイヤーハーネス引出口を５段にした場合の例を示している。このようにワイヤーハーネス引出口を何段にするのも自由にできるし、そのうちの不使用の引出口に封止蓋を装着するのも自由にでき、使用バリエーションを広げることができる。
【図面の簡単な説明】
【００４５】
【図１】本発明の実施形態の電気接続箱の要部を示す分解斜視図である。
【図２】同電気接続箱を構成する中段の分割ブロックの斜視図である。
【図３】同電気接続箱を構成する中段の分割ブロックの別の方向から見た斜視図である。
【図４】（ａ）、（ｂ）は同電気接続箱における各部材間の関係を簡略化して示す模式図である。
【図５】同電気接続箱の別の組み合わせを示す模式図である。
【図６】同電気接続箱のワイヤーハーネス引出口の１つに封止蓋を装着した例を示す模式図である。
【図７】同電気接続箱の別の使用形態を示す斜視図である。
【図８】（ａ）〜（ｃ）はワイヤーハーネス引出口を２段にした場合の本発明の電気接続箱の使用バリエーションを示す模式図である。
【図９】（ａ）〜（ｆ）はワイヤーハーネス引出口を３段にした場合の本発明の電気接続箱の使用バリエーションを示す模式図である。
【図１０】本発明の他の使用例を示す模式図である。
【図１１】本発明の更に他の使用例を示す模式図である。
【図１２】第１の従来例を示す図で、（ａ）は正面図、（ｂ）は（ａ）のＸＩＩｂ矢視図である。
【図１３】第２の従来例を示す図で、（ａ）は正面図、（ｂ）は（ａ）のＸＩＩＩｂ矢視図である。
【図１４】第３の従来例を示す図で、（ａ）は正面図、（ｂ）は（ａ）のＸＩＶｂ矢視図である。
【符号の説明】
【００４６】
１  箱本体
２  側壁
３  ガイド部
５，２３ａ，３３ａ  スカート部
７，８  ロック部
１０  最下段の分割ブロック
２０  中段の分割ブロック
３０  最上段の分割ブロック
１４，２４Ａ，２４Ｂ，３４  半円状の開口
【図１】
0004405945.tif 000002
【図２】
0004405945.tif 000003
【図３】
0004405945.tif 000004
【図４】
0004405945.tif 000005
【図５】
0004405945.tif 000006
【図６】
0004405945.tif 000007
【図７】
0004405945.tif 000008
【図８】
0004405945.tif 000009
【図９】
0004405945.tif 000010
【図１０】
0004405945.tif 000011
【図１１】
0004405945.tif 000012
【図１２】
0004405945.tif 000013
【図１３】
0004405945.tif 000014
【図１４】
0004405945.tif 000015